(57)【特許請求の範囲】
【請求項１】
開口部を有するケースと、前記開口部に設置された操作パネルとを有する操作装置において、
前記開口部の内周部と前記操作パネルの縁部との隙間を塞ぐ弾性部材が設けられ、前記弾性部材は、前記ケースの内部に固定される固定部と、前記操作パネルを支持する支持部と、前記固定部と前記支持部との間に形成されて前記ケースの内方に向けて押された前記操作パネルに対して復帰力を与える弾性反発部とを有し、
前記ケースの内部に内側部材が設けられて、前記弾性部材の前記固定部が、前記ケースの一部と前記内側部材とで挟持されており、
前記弾性反発部が、前記開口部の内周に沿って形成されて、前記隙間を塞いでおり、前記操作パネルには、操作面である表面が操作されたときの操作位置を検知する位置検知装置が搭載され、前記ケースの内部には、前記操作パネルが前記ケースの内方に向けて押されたことを検知する押圧検知装置が設けられていることを特徴とする操作装置。
【請求項２】
前記弾性部材の前記支持部は、前記固定部よりも前記操作面に近い位置で且つ前記固定部よりも前記開口部の内側に位置しており、前記弾性反発部は、前記固定部から前記操作面に向けて斜めに延びている請求項１記載の操作装置。
【請求項３】
前記内側部材は前記ケースに凹凸嵌合されている請求項１または２記載の操作装置。
【請求項４】
前記内側部材は、前記操作パネルが前記ケースの内方に向けて押されたときのストッパとして機能する請求項１ないし３のいずれかに記載の操作装置。
【請求項５】
前記押圧検知装置は、前記操作パネルと前記内側部材との間に配置されている請求項１ないし４のいずれかに記載の操作装置。
【請求項６】
前記押圧検知装置は、静電容量の変化を検知するものであり、前記操作パネルと前記内側部材に、互いに対向する電極が設けられている請求項５記載の操作装置。
【請求項７】
前記押圧検知装置は、前記操作パネルで押されたときに電力を発する圧電素子を有している請求項１ないし５のいずれかに記載の操作装置。
【請求項８】
前記押圧検知装置は、前記操作パネルが押されたときに変形する変形部とその変形を検知する歪みゲージとを有している請求項１ないし５のいずれかに記載の操作装置。
【発明の詳細な説明】
【技術分野】
【０００１】
本発明は、携帯機器やその他の電子機器に搭載されて、指などを操作パネルに接触させて操作する操作装置に関する。
【背景技術】
【０００２】
以下の特許文献には、操作パネルを供えた操作装置が開示されている。この操作装置は、操作パネルに静電容量式などの位置検知装置が搭載されており、操作パネルの表面に指などが触れた位置を検知できる。さらに、ケースと操作パネルとの間に、操作パネルが押されたことを検知する押圧検知装置が設けられている。これらの操作装置は、指などが操作パネルに接触した位置が前記位置検知装置で検知され、さらに前記押圧検知装置によって操作パネルが押されたことが検知されたときに、位置検知装置で検知された位置情報に対応する操作信号が出力される。【０００３】
この操作により、指などが触れた位置の情報に対応する操作信号を確実に出力できるとともに、操作パネルを指などで押すことにより、操作者が操作パネルに対して操作を行ったことを手の感触で確認しやすくなる。
【先行技術文献】
【特許文献】
【０００４】
【特許文献１】特開２００６−３２３４５７号公報
【特許文献２】特開平７−６４７２５号公報
【特許文献３】国際公開第２００７／０９１６００号
【発明の概要】
【発明が解決しようとする課題】
【０００５】
前記特許文献１に記載された操作装置は、押圧検知装置として、操作パネルが押圧されたことを検知するスイッチまたは圧電素子を有している。操作パネルはケースなどに移動自在に取り付けられる構造であるため、操作パネルとケースなどとの間に隙間が形成されやすく、その結果、前記隙間を通じてケースの内部に埃などが侵入しやすくなる問題が生じる。【０００６】
特許文献２に記載されている操作装置は、操作パネルの周囲部に弾性部材が設けられており、操作パネルが押圧されると弾性部材が圧縮変形することで操作パネルが押圧方向に動けるように支持されている。特許文献３に記載された操作装置は、弾性部材が感圧導電性ゴムであり、この感圧導電性ゴムが圧縮することで抵抗値が変化し、これにより押圧検知出力が得られるようにしている。【０００７】
しかし、特許文献２と特許文献３に記載された操作装置は、いずれも弾性部材が操作パネルの内面とケースとの間に挟まれており、操作パネルが押されたときに弾性部材が圧縮変形するものであるために、操作パネルを押圧したときの弾性抵抗が大きくなり適度な押圧操作感触を実現するのが難しい。また、弾性部材の硬度を下げて押圧操作感触を良好にしようとすると、弾性体の強度が低下しやすくなり、操作パネルとケースとの間の封止が不十分になるおそれがある。【０００８】
本発明は上記従来の課題を解決するものであり、操作パネルの押圧感触が良好であり、しかも操作パネルとケースの開口部との間の密封性を高めることができる操作装置を提供することを目的としている。
【課題を解決するための手段】
【０００９】
本発明は、開口部を有するケースと、前記開口部に設置された操作パネルとを有する操作装置において、
前記開口部の内周部と前記操作パネルの縁部との隙間を塞ぐ弾性部材が設けられ、前記弾性部材は、前記ケースの内部に固定される固定部と、前記操作パネルを支持する支持部と、前記固定部と前記支持部との間に形成されて前記ケースの内方に向けて押された前記操作パネルに対して復帰力を与える弾性反発部とを有し、
前記ケースの内部に内側部材が設けられて、前記弾性部材の前記固定部が、前記ケースの一部と前記内側部材とで挟持されており、
前記弾性反発部が、前記開口部の内周に沿って形成されて、前記隙間を塞いでおり、前記操作パネルには、操作面である表面が操作されたときの操作位置を検知する位置検知装置が搭載され、前記ケースの内部には、前記操作パネルが前記ケースの内方に向けて押されたことを検知する押圧検知装置が設けられていることを特徴とするものである。
【００１０】
本発明の操作装置は、指などが操作パネルの表面に触れると、操作パネルに搭載されている位置検知装置によって指などが触れた位置が検知される。このとき操作パネルを押すと、押圧検知装置が動作し、位置検知装置で検知された箇所に対する押圧操作が行われたことを確定する。【００１１】
ケースの開口部と操作パネルとの間が弾性部材の弾性反発部で覆われているため、ケースの内部を外気から遮断でき、ケースの内部に埃が侵入したり、水分や湿気が浸入するのを防止しやすくなる。【００１２】
弾性部材は、ケースに固定される固定部と操作パネルを支持する支持部とを有し、固定部と支持部との間に、前記隙間を覆う弾性反発部が形成されている。この弾性反発部は、主に座屈変形または曲げ変形するために、操作パネルを押したときの反力を適度にでき、また操作パネルを押したときの感触も良好になる。【００１３】
本発明は、前記弾性部材の前記支持部は、前記固定部よりも前記操作面に近い位置で且つ前記固定部よりも前記開口部の内側に位置しており、前記弾性反発部は、前記固定部から前記操作面に向けて斜めに延びていることが好ましい。【００１４】
弾性反発部が前方に向けて斜めに延びていると、操作パネルが押されたときに座屈変形するようになり、適度な反発力を発揮できる。また、弾性部材が狭い領域に配置されていても、圧縮変形に比べて、操作パネルの押圧ストロークを比較的大きく確保でき、操作パネルを押したときの感触が良好になる。【００１６】
弾性部材の固定部が、ケースと内側部材とで挟まれていると、ケースと弾性部材との結合部に隙間が生じにくくなり、弾性部材により密封状態を高く維持できるようになる。【００１７】
また、前記内側部材は前記ケースに凹凸嵌合されているものが好ましい。
この構造では、内側部材をケースに嵌め込む組み立て工程によって、弾性部材の固定部をケースに固定できる。【００１８】
また、本発明は、前記内側部材は、前記操作パネルが前記ケースの内方に向けて押されたときのストッパとして機能するものとして構成できる。【００１９】
内側部材をストッパとして機能させると、操作パネルが押されたときの移動量を規制でき、操作パネルの押し込み量を最適に設定できる。【００２０】
本発明は、前記押圧検知装置は、前記操作パネルと前記内側部材との間に配置されているものとして構成できる。【００２１】
例えば、前記押圧検知装置は、静電容量の変化を検知するものであり、前記操作パネルと前記内側部材に、互いに対向する電極が設けられているものである。
【発明の効果】
【００２２】
本発明は、ケースの開口部と操作パネルとの間の隙間を封止して、前記隙間から外気や埃がケースの内部に入り込むのを有効に防止できるようになる。しかも、隙間を塞いでいる弾性部材の座屈変形や曲げ変形によって、操作パネルが押されたときの弾性反発力を適度な大きさにでき、操作パネルを押したときの操作感触が良好になる。また、弾性部材の座屈変形の際の弾性反発力により、操作パネルへの押圧力が解除された後に、弾性部材が初期の姿勢に復元しやすくなる。
【図面の簡単な説明】
【００２３】
【図１】本発明の操作装置を備えた携帯機器の分解斜視図、
【図２】前記操作装置の正面図、
【図３】図２の操作装置をＩＩＩ−ＩＩＩ線で切断した拡大断面図、
【図４】図３の操作装置に設けられた押圧検知装置を構成するシールド電極層と対向電極層とを示す平面図、
【図５】第２の実施の形態の操作装置の拡大断面図、
【図６】図５の操作装置に設けられた押圧検知装置を構成する枠状電極層と対向電極層とを示す平面図、
【図７】第３の実施の形態の操作装置の拡大断面図、
【図８】静電容量式の位置検知装置の構造を示す説明図、
【図９】抵抗式の位置検知装置の構造を示す説明図、
【図１０】操作装置の回路ブロック図、
【発明を実施するための形態】
【００２４】
図１と図２に示す携帯機器１は、携帯電話、携帯用の情報処理装置、携帯用の記憶装置、携帯用のゲーム装置などとして使用される。
【００２５】
携帯機器１は、合成樹脂材料で形成されたケース２を有している。ケース２は右側壁３ａと左側壁３ｂならびに上側壁３ｃと下側壁３ｄを有しており、前部は、それぞれの前記側壁３ａ，３ｂ，３ｃ，３ｄで囲まれた開口部４である。開口部４はほぼ長方形状である。
【００２６】
図３に示すように、ケース２には、裏蓋体５が裏側から装着されて、ケース２の裏側の開口部が、合成樹脂材料で形成された前記裏蓋体５で覆われている。裏蓋体５には、ケース２の内部空間に向けて延びる内側部材６が一体に形成されている。内側部材６は、ケース２の右側壁３ａと左側壁３ｂならびに上側壁３ｃと下側壁３ｄの内側に密着している。
【００２７】
図３に示すように、ケース２の右側壁３ａと左側壁３ｂならびに上側壁３ｃと下側壁３ｄの内面のいずれかの複数箇所に凹部７が形成されている。一方、内側部材６には側方に向けて突出する凸部８が一体に形成されている。凸部８は、傾斜部８ａと係止部８ｂとを有している。傾斜部８ａは裏蓋体５に向かうにしたがって横方向に向けて突出する向きに傾斜しており、係止部８ｂは裏蓋体５とほぼ平行である。
【００２８】
内側部材６が、ケース２の裏側の開口部からケース２の内部に挿入されると、内側部材６が変形しながら、凸部８が、ケース２の右側壁３ａと左側壁３ｂならびに上側壁３ｃと下側壁３ｄの内面を摺動し、凸部８が凹部７に入り込み、係止部８ｂが凹部７の下側の内端面７ａに掛止されて、裏蓋体５がケース２から外れないようにスナップイン方式によって凹凸嵌合される。
【００２９】
図３に示すように、ケース２の開口部４の内周面には、それぞれの側壁３ａ，３ｂ，３ｃ，３ｄの内面から内側へ向けて突出する保持凸部９が一体に形成されており、保持凸部９の下側に、側壁３ａ，３ｂ，３ｃ，３ｄの内部に向けて窪む段差部９ａが形成されている。保持凸部９と段差部９ａは、開口部４の内周面を一周するように連続して形成されている。
【００３０】
図１に示すように、ケース２には、開口部４の内周面に沿ってすなわち右側壁３ａと左側壁３ｂならびに上側壁３ｃと下側壁３ｄのそれぞれの内面に沿って枠体形状の弾性部材１０が取り付けられている。弾性部材１０は、耐食性に優れ弾性特性も安定しているシリコンゴムなどで形成されている。
【００３１】
図３に示すように、弾性部材１０には、断面が四角形状の固定部１１が一体に形成されている。裏蓋体５が取り付けられる前の工程において、ケース２の裏側の開口部から弾性部材１０が挿入され、固定部１１が、前記保持凸部９の下側の段差部９ａに突き当てられる。その後、裏蓋体５が装着され、裏蓋体５と一体の内側部材６がケース２の内部に挿入されると、内側部材６の上部に形成された保持凹部６ｂが弾性部材１０の固定部１１と嵌合し、保持凹部６ｂの底部６ｃと、ケース２の開口部４の周囲に形成された段差部９ａとの間で、固定部１１が上下から挟圧されて保持される。
【００３２】
図３に示すように、内側部材６の凸部８が、ケース２の各側壁３ａ，３ｂ，３ｃ，３ｄに形成された凹部７に嵌合させられると、裏蓋体５がケース２から外れないように固定されるとともに、弾性部材１０の固定部１１が、ケース２と内側部材６とで上下から挟まれてしっかりと保持される。また、固定部１１は、内側部材６に形成された保持凹部６ｂと嵌合しているため、固定部１１はケース２の中心側（図３の向かって右側）へ動くことなく保持される。
【００３３】
図３に示すように、弾性部材１０には前記固定部１１の内側に支持部１２が設けられ、固定部１１と支持部１２との間に弾性変形部である弾性反発部１３が一体に形成されている。図１に示すように、固定部１１と支持部１２および弾性反発部１３は一体となった枠体形状であり、ケース２の開口部４の内周部の全周に連続して設けられている。
【００３４】
支持部１２は、裏蓋体５とほぼ平行である。図３に示すように、支持部１２は、固定部１１よりも前方、すなわち操作パネル２０の表面である操作面２０Ｃの側へ離れた位置で且つ固定部１１よりもケース２の内側（図３の向かって右側）に位置している。その結果、図３の断面図で見たときに、弾性反発部１３は、固定部１１から支持部１２に向けて斜めに延びている。すなわち、弾性反発部１３は、裏蓋体５から前方へ離れるにしたがって各側壁３ａ，３ｂ，３ｃ，３ｄから離れる向きに傾斜している。そのため、支持部１２が裏蓋体５に向けて押圧されると、弾性反発部１３が座屈変形となるように曲げられる。
【００３５】
図１に示すように、ケース２の開口部４内には操作パネル２０が設置されている。
操作パネル２０の外周縁の形状は、ケース２の開口部４の形状と同じであり、操作パネル２０は、開口部４よりもわずかに小さい寸法に形成されている。図３に示すように、操作パネル２０が開口部４の内部に装着されると、操作パネル２０の外周縁と開口部４の内周面との間にわずかな隙間δが形成される。隙間δは、好ましくは０．３ｍｍ以下であり、さらに好ましくは０．１ｍｍ以下である。
【００３６】
図３に示すように、操作パネル２０の下面は、前記弾性部材１０の支持部１２の上面に接着されて固定されている。その結果、操作パネル２０が弾性部材１０に支持されるとともに、前記隙間δの内側が弾性部材１０の弾性反発部１３で塞がれている。
【００３７】
図３に示すように、操作パネル２０は、透光性で硬質の合成樹脂材料で形成された基板２１を有している。本明細書の透光性とは、ケース２の内部に設けられている液晶表示装置などの表示装置４１で表示される画像を、透過して目視できることを意味している。
【００３８】
基板２１の表面には透光性の接着剤層２２を介して加飾フィルム２３が接合されている。加飾フィルム２３は透光性のフィルムであり、その下面の周囲には、加飾層２４が印刷または塗装などの手段で形成されている。図１および図２に示すように、操作パネル２０は、加飾層２４が設けられている部分が遮蔽領域２０Ａであり、加飾層２４が設けられていない部分が透過領域２０Ｂである。透過領域２０Ｂを透過して表示装置４１で表示される画像を目視でき、遮蔽領域２０Ａでケース２の内部が見えないように遮蔽されている。また、操作パネル２０は、主に前記透過領域２０Ｂの表面が、指で触れて操作する操作面２０Ｃである。
【００３９】
透光性の基板２１の下面には、接着剤層２５を介して検知フィルム２６が接合されている。検知フィルム２６には、両面に電極層２７と２８とが設けられている。検知フィルム２６は透光性の合成樹脂フィルムで形成され、電極層２７，２８はＩＴＯなどの透光性の導電性材料でパターン形成されている。検知フィルム２６と電極層２７，２８とで位置検知装置が構成されている。図８に示すように、電極層２７は、複数の帯状電極または線状電極が平行に形成され、他方の電極２８も、複数の帯状電極または線状電極が平行に形成されている。電極層２７と電極層２８は、検知フィルム２６を挟んで互いに直交する向きに形成され、一方がＸ電極層で他方がＹ電極層として機能している。
【００４０】
この位置検知装置は、静電容量型である。図１０に示すように、電極層２７，２８の一方の電極層を構成する複数の電極に対して位置検知部４５からパルス状の電圧が順番に与えられ、このとき他方の電極層の複数の電極に瞬間的に流れる電流が検知される。導電体である指が、加飾フィルム２３の表面に触れると、電極層２７と電極層２８の間の静電容量に、指と電極層との間の静電容量が付加され、その結果、電極層に流れる電流が指が触れていないときと比較して変化する。位置検知部４５によって、一方の電極層２７の複数の電極に順番に電圧が与えられ、これとは時刻が重複しないように他方の電極層２８の複数の電極に順番に電圧が与えられる。それぞれの電極層２７，２８から検知される前記電流を検知することで、指が触れた位置を算出することができる。
【００４１】
図３に示すように、位置検知装置を構成する電極層２８の内側には下層フィルム３１が接着剤層を介して接合されている。この下層フィルム３１の裏蓋体に向く背面には、全面的にシールド電極層３２が形成されている。下層フィルム３１は透光性のフィルムであり、シールド電極層３２はＩＴＯなどの透光性の導電性材料で形成されている。前記位置検知装置と表示装置４１との間に前記シールド電極層３２が介在しているため、表示装置４１に流れる電流が位置検知装置の検知動作に悪影響を与えるのが防止されている。
【００４２】
図３に示すように、前記内側部材６は、前記加飾層２４の下側に位置して、ケース２の各側壁３ａ，３ｂ，３ｃ，３ｄの内面の全周に配置されている。内側部材６の上面は押圧検知面６ａであり、この押圧検知面６ａは、操作パネル２０の下面と平行である。操作パネル２０が押されていない状態で、弾性部材１０の支持部１２の下面と前記押圧検知面６ａとが平行であり、その対向距離Ｈは、０．１〜０．３ｍ程度である。操作パネル２０が押され、弾性部材１０の支持部１２が押圧検知面６ａと当たったときに、操作パネル２０がそれ以上はケース２の奥側に入ることができず、前記押圧検知面６ａは、操作パネル２０に対するストッパとしての機能も発揮している。
【００４３】
図３に示すように、内側部材６の押圧検知面６ａに対向電極層３３が設けられている。対向電極層３３は、ケース２の開口部４の内周面に沿う複数箇所に配置されている。図２および図４に示すように、この実施の形態では、対向電極層３３が６箇所に設けられ、それぞれが加飾層２４で覆われる位置に配置されている。
【００４４】
図４に示すように、それぞれの対向電極層３３は、前記弾性部材１０の支持部１２を挟んで前記シールド電極層３２に対向している。６箇所に設けられた対向電極層３３とシールド電極層３２とで押圧検知装置が構成されている。この押圧検知装置では、図１０に示す押圧検知部４６の回路によって、対向電極層３３とシールド電極層３２とにより形成されるコンデンサを含む微分回路が構成されている。押圧検知部４６からそれぞれの対向電極層３３に、パルス状などの電圧が短い時間で且つ一定周期で繰り返して印加される。同じ電極層３３から前記微分回路における電流の立ち上がりの遅延状態が検知される。前記操作パネル２０が押されて、対向電極層３３とシールド電極層３２との対向距離が変化し静電容量が変化すると、前記電流の立ち上がり時刻が変化する。押圧検知部４６において、この変化を検知することで、操作パネル２０が押圧されたか否かが判断される。
【００４５】
なお、対向電極層３３に対する通電時刻は、前記位置検知装置を構成する電極層２７，２８に通電される時刻と重複しないように割り振られる。また、複数の対向電極層３３に対して順番に電圧が印加される。
【００４６】
この携帯機器１は、ケース２の内部に設けられた表示装置４１で表示される画像が、操作パネル２０において加飾層２４で覆われていない透過領域２０Ｂにおいて外部から目視できる。この表示内容に応じて、操作パネル２０の表面の操作面２０Ｃに指が触れると、電極層２７，２８が対向する位置検知装置および図１０に示す位置検知部４５によって、指が触れている位置が検知されて操作判定部４７にその情報が与えられる。この操作において操作パネル２０が押されると、対向電極層３３とシールド電極層３２との対向距離の変化が、押圧検知部４６で検知され、その情報が操作判定部４７に与えられる。操作判定部４７では、押圧検知部４６において操作パネル２０が押されたと検知されたときに、指が触れている箇所での操作が実行されたと判断し、表示装置４１によって表示されている画像と指が触れている位置との関係で決められている操作信号が生成される。
【００４７】
押圧検知装置は、対向電極層３３が６箇所設けられている。押圧検知部４６では、それぞれの対向電極層３３から得られる検知信号の総和が所定値を超えたときに、操作パネル２０が押されたものと判断する。また、複数箇所の対向電極層３３のそれぞれから得られる検知信号を互いに比較することによって、操作パネル２０のどの位置が押されたかを推定することも可能である。
【００４８】
図３に示すように、操作パネル２０の周縁部とケース２の開口部４の内周部との隙間δは、弾性部材１０によって塞がれている。そのため、ケース２の内部空間と外気とを遮断でき、埃がケース２の内部に侵入するのを防止できる。また押圧検知装置の対向電極層３３とシールド電極層３２との対向部に水分が入り込んで静電容量が異常に変化するなどの不都合も防止できる。
【００４９】
操作パネル２０がケース２の内方へ向けて押されたときに、弾性部材１０は圧縮変形のみではなく、固定部１１と支持部１２との間で、弾性反発部１３が座屈状態で曲げ変形し、その座屈変形からの反発力によって、操作パネル２０を元の位置へ復帰させる復帰弾性力が発揮される。弾性部材１０は圧縮変形のみではなく、主に座屈変形となる曲げ変形で弾性復元力を発揮するため、操作パネル２０の表面に指を触れたときに小さな力で操作パネル２０をケース２の内部に向けて押し込むことができ、またこのときの押圧感触が良好であり、しかも復帰動作も安定する。
【００５０】
なお、前記実施の形態では、押圧検知装置が、対向電極層３３とシールド電極層３２とが対向して静電容量の変化を検知するものであるが、押圧検知装置はこれに限られるものではない。
【００５１】
図５と図６に示す第２の実施の形態では、操作パネル２０の下層シート３１の背面に、枠状のパターンで形成された共通電極層３４が設けられ、６箇所の前記対向電極層３３のそれぞれが前記共通電極層３４に対向して押圧検知装置が構成されている。
【００５２】
前記共通電極層３４は、前記加飾層２４の下に隠れる位置において、１周分連続して形成されている。押圧検知装置では、例えば共通電極層３４が接地電位に設定され、それぞれの対向電極層３３に順番に間欠的に印加されて、押圧検知部４６において、操作パネル２０が押圧されたか否か検知される。
【００５３】
共通電極層３４は、加飾層２４の下に隠れる位置に形成され、透過領域２０Ｂに設けられていないため、必ずしも透明電極で形成される必要はなく、銀や金などの導電性の金属層で形成することができる。
【００５４】
なお、図３に示されたシールド電極層３２は前記共通電極層３４とは別に下層フィルム３１に形成され、あるいは他の階層に形成される。あるいはシールド電極層３２が設けられていないものであってもよい。
【００５５】
次に、図７に示す第３の実施の形態では、操作パネル２０と内側部材６との間に、押圧検知装置として圧電素子３５が設けられている。この構成では、操作パネル２０が押圧されて圧電素子３５に歪が与えられると電力を発生し、これにより操作パネル２０が押圧されたことが検知される。
【００５６】
なお、押圧検知装置として、操作パネル２０が押されたときに変形する変形部とその変形を検知する歪みゲージを使用したものなどであってもよい。
【００５７】
また、操作パネル２０に搭載される位置検知装置は、前記実施の形態のような静電容量型に限られず、図９に示す抵抗検知型であってもよい。その構造は、透光性の下側導電層５１の両端に、銀ペーストなどで形成された電極層５１ａ，５１ｂが設けられ、上側導電層５２の両側に電極層５２ａ，５２ｂが設けられている。下側導電層５１は電極層５１ａ，５１ｂ間で一定の抵抗値を有し、上側導電層５２は電極層５２ａ，５２ｂ間で一定の抵抗値を有している。上側導電層５２は可撓性で透光性のシートに形成され、下側導電層５１と上側導電層５２との間に空気層が介在している。
【００５８】
動作時には、電極層５１ａ，５１ｂ間に電圧が印加され、それとは別のタイミングで電極層５２ａ，５２ｂ間に電圧が印加される。操作パネル２０の表面に指が触れてシートが押されて撓み、Ｐ点で上側導電層５２と下側導電層５１とが接触すると、下側導電層５１をＸ方向に分割した抵抗値に対応する電圧が電極層５１ａ，５１ｂから得られ、上側導電層５２をＹ方向に分割した抵抗値に対応する電圧が電極層５２ａ，５２ｂから得られる。これによりＰ点のＸ−Ｙ座標上の位置が検知される。
【００５９】
前記抵抗式の位置検知装置で指が触れた位置が検知され、前記押圧検知装置で操作パネル２０が押されたことが検知されたときに、指が触れている箇所に対応する操作信号が生成される。
【符号の説明】
【００６０】
１  携帯機器
２  ケース
３ａ，３ｂ，３ｃ，３ｄ  側壁
４  開口部
５  裏蓋体
６  内側部材
６ｂ  保持凹部
７  凹部
８  凸部
９  保持凸部
９ａ  段差
１０  弾性部材
１１  固定部
１２  支持部
１３  弾性反発部
２０  操作パネル
２１  基板
２７，２８  位置検知装置を構成する電極層
３２  シールド電極層
３３  押圧検知装置を構成する対向電極層
３４  押圧検知装置を構成する共通電極層
【図１】
0005394492.tif 000002
【図２】
0005394492.tif 000003
【図３】
0005394492.tif 000004
【図４】
0005394492.tif 000005
【図５】
0005394492.tif 000006
【図６】
0005394492.tif 000007
【図７】
0005394492.tif 000008
【図８】
0005394492.tif 000009
【図９】
0005394492.tif 000010
【図１０】
0005394492.tif 000011